(57)【要約】【課題】本発明は、２波長レーザダイオードを備えた光ピックアップを用いても、ＤＶＤ再生時、ＣＤ再生時のいずれにおいても最良の再生性能を得ることができる光ディスクプレイヤーを提供することを目的としている。【解決手段】少なくとも２つのレーザダイオードをトラッキング方向に個別に若しくは一体的に配列した発光手段２９と、前記発光手段２９から照射し光ディスクに反射した反射光を受光する受光手段２８と照射光を光ディスクに集光する対物レンズ２１を備える可動ユニット３０と、光ディスクの種類を判別する判別手段と、前記可動ユニット３０をトラッキング方向に駆動させるトラッキング駆動手段とを備え、前記判別手段の判定結果に応じて、前記トラッキング駆動手段により前記可動ユニット３０の位置を所定量オフセットすることを特徴とする。【選択図】図１
2006318544.tif 000002
【特許請求の範囲】
【請求項１】
少なくとも２つのレーザダイオードをトラッキング方向に個別に若しくは一体的に配列した発光手段と、前記発光手段から照射し光ディスクに反射した反射光を受光する受光手段と照射光を光ディスクに集光する対物レンズを備える可動ユニットと、
光ディスクの種類を判別する判別手段と、
前記可動ユニットをトラッキング方向に駆動させるトラッキング駆動手段とを備え、
前記判別手段の判定結果に応じて、前記トラッキング駆動手段により前記可動ユニットの位置を所定量オフセットすることを特徴とする光ディスクプレイヤー。
【請求項２】
前記トラッキング駆動手段とは磁石とトラッキングコイルとからなり、前記可動ユニットの所定量の移動とは、前記可動ユニットのトラッキング方向の位置調整に際しての電圧のオフセット値であることを特徴とする請求項１記載の光ディスクプレイヤー。
【請求項３】
前記受光手段は単一であることを特徴とする請求項１記載の光ディスクプレイヤー。
【発明の詳細な説明】
【技術分野】
【０００１】
本発明は、２種類以上の光ディスクを再生可能な光ディスクプレイヤーに関するものである。
【背景技術】
【０００２】
従来から、２種類の光ディスク、例えばＤＶＤとＣＤとを再生可能な様々な装置が提案、提供されている。
【０００３】
まず、図４に基づき、周知のＤＶＤ／ＣＤプレーヤを例に用いて、概略の全体構成について説明する。図に示す光ディスクプレイヤーは、光ディスク１を回転させるスピンドルモータ２、レーザ光を照射して反射光を受光し再生信号を出力する光ピックアップ３、光ピックアップ３をディスク半径方向に移動するスレッドモータ４、再生信号を増幅する信号増幅部５、再生信号から得られるディジタル情報を処理するディジタル信号処理部６、再生信号からフォーカス・トラッキングサーボ動作に必要なサーボエラー信号を生成するサーボ信号生成部７、サーボ動作・フォーカスサーチ・トラックジャンプ等を行うサーボ制御部８、トラッキングアクチュエータを駆動するトラッキング駆動部９、フォーカスアクチュエータを駆動するフォーカス駆動部１０、スレッドモータを駆動するスレッド駆動部１１、スピンドルモータを駆動するスピンドル駆動部１２、プレーヤとして必要な動作の制御を行うシステム制御部１３、レーザダイオードを制御するレーザ制御部１４を備えている。
【０００４】
ＤＶＤとＣＤとでは必要な光の特性が異なるため、いずれの光ディスクを再生するかを判別し、異なる制御をする必要がある。システム制御部１３は、特許文献１（特開２００２−９２８７２）に記載されているように、ＤＶＤ／ＣＤディスクの判別手段を有している。そして、判定結果に応じて光ピックアップ３に内蔵されたＤＶＤ／ＣＤ各レーザダイオードの必要な側を駆動するようにレーザ制御部を制御する。
【０００５】
図５は、従来のＤＶＤ／ＣＤ両用ピックアップの例を示す図である。図に示すように、光ピックアップは発光手段であるＤＶＤ用レーザダイオード２５とＣＤ用レーザダイオード２６を個別に備えている。それぞれから出力された光は波長選択板２４を介してコリメータレンズ２３へと入射し、ビームスプリッタ２２、対物レンズ２１を介して光ディスク１に照射される。反射光はビームスプリッタ２２で反射し、検出レンズ２７を介して受光手段である受光素子２８において検出される。
【０００６】
上記構成にあっては、両レーザダイオード２５、２６からの出射光の光軸２５ｄ、２６ｃは一致する。従って、ＤＶＤ再生時とＣＤ再生時にて対物レンズ２１のトラッキング方向位置に対する再生信号特性は同様で、両者に最良位置の差異は発生しない。
【０００７】
図７に対物レンズ２１のトラッキング方向位置（レンズシフト量）と再生信号特性（ジッタ値）の関係（以降、レンズシフト特性と称する）を示す。図に示すように、ＤＶＤ再生時のジッタ値最良点ＡとＣＤ再生時のジッタ最良点Ｂはほぼ一致している。
【０００８】
ところで近年は、特許文献２（特開２００２−１０９７５９）に示されるように、ＤＶＤ用とＣＤ用のレーザダイオードを一体化した２波長レーザダイオードを使用したＤＶＤ／ＣＤ両用光ピックアップが開発され、構成部品の削減による形状の小型化と低価格化が図られている。図６は、発光手段として２波長レーザダイオード２９を使用した従来のＤＶＤ／ＣＤ両用ピックアップの例を示す図である。図に示すように、２波長レーザダイオード２９においては、ＤＶＤ用レーザ発光点２９ｂとＣＤ用レーザ発光点２９ａがＤ１の間隔で隣接している。
【０００９】
しかし、これを使用したＤＶＤ／ＣＤ両用光ピックアップにおいては、光源の位置が若干異なることから、ＤＶＤ用レーザ発光点２９ｂから出てコリメータレンズ２３の中心を通るＤＶＤ用レーザ光の光軸２９ｄと、ＣＤ用レーザ発光点２９ａから出てコリメータレンズ２３の中心を通るＣＤ用レーザ光の光軸２９ｃは一致しない。このため、対物レンズ２１の位置において両者の間隔Ｄ２を発生する。コリメータレンズ２３とレーザ発光点との距離をＬ１、コリメータレンズ２３と対物レンズ２１の距離をＬ２とすると、  Ｄ２＝Ｌ２／Ｌ１＊Ｄ１  となり、Ｄ１＝０．１１ｍｍ、Ｌ２／Ｌ１＝０．９ではＤ２≒０．１ｍｍである。
【００１０】
図８は、Ｄ２がディスク半径方向の場合のレンズシフト特性を示す図である。図に示すように、ＤＶＤ再生時のジッタ値最良点ＡとＣＤ再生時のジッタ最良点ＢはＤの間隔を持つこととなる。この間隔は同一モデルのピックアップにおいては概ね同じ程度となる。
【００１１】
このように、ＤＶＤ用とＣＤ用のレーザダイオードを一体化し、同じ光学系の光経路を使用する光ピックアップにおいては、ジッタ値の最良点にずれが生じている。一般にはＤＶＤ側の再生性能を最良にするよう構成するが、この場合にはＣＤ側においては対物レンズが中央位置（レンズシフト量＝０ｍｍ、通常のトラッキングサーボでの制御目標位置）では最良の性能を得ることはできない。
【００１２】
さらに従来からも、このような光軸のずれ（対物レンズ最良位置のずれ）を補正するために、光学系にプリズムを設けたり、受光部を２つ設けるなどの提案がなされている。しかしプリズムは高い加工精度を要求される上に光に乱れを生じやすく、受光部を２つ設けるとコストの増加を伴うために好ましくない。
【特許文献１】特開２００２−９２８７２号公報
【特許文献２】特開２００２−１０９７５９号公報
【発明の開示】
【発明が解決しようとする課題】
【００１３】
本発明は、２波長レーザダイオードを備えた光ピックアップを用いても、ＤＶＤ再生時、ＣＤ再生時のいずれにおいても最良の再生性能を得ることができ、かつ生産コストの上昇を招くことのない光ディスクプレイヤーを提供することを目的としている。
【課題を解決するための手段】
【００１４】
上記課題を解決するために、本発明に係る光ディスクプレイヤーの代表的な構成は、少なくとも２つのレーザダイオードをトラッキング方向に個別に若しくは一体的に配列した発光手段と、前記発光手段から照射し光ディスクに反射した反射光を受光する受光手段と照射光を光ディスクに集光する対物レンズを備える可動ユニットと、光ディスクの種類を判別する判別手段と、前記可動ユニットをトラッキング方向に駆動させるトラッキング駆動手段とを備え、前記判別手段の判定結果に応じて、前記トラッキング駆動手段により前記可動ユニットの位置を所定量オフセットすることを特徴とする光ディスクプレイヤー。
【００１５】
前記トラッキング駆動手段とは磁石とトラッキングコイルとからなり、前記可動ユニットの所定量の移動とは、前記可動ユニットのトラッキング方向の位置調整に際しての電圧のオフセット値であることでもよい。
【００１６】
前記受光手段は単一であってもよい。
【発明の効果】
【００１７】
本発明によれば、光ディスクの種類によってトラッキング方向の光軸のずれが生じる光ピックアップにおいても、それぞれの光ディスクのいずれにおいても最良の再生性能を得ることができ、かつ生産コストの上昇を招くことのない光ディスクプレイヤーを提供することができる。
【発明を実施するための最良の形態】
【００１８】
本発明に係る光ディスクプレイヤーの実施例について説明する。図１は本実施例に係る光ディスプレイヤーの構成例を示す図、図２は光ピックアップを説明する図、図３はオフセット電圧を加算する動作を説明するフローチャートである。上記従来例と説明の重複する部分については、同一の符号を付して説明を省略する。
【００１９】
図１に示すように、本実施例に係る光ディスクプレイヤーは、光ディスク１を回転させるスピンドルモータ２、レーザ光を照射して反射光を受光し再生信号を出力する光ピックアップ３、光ピックアップをディスク半径方向に移動するスレッドモータ４、再生信号を増幅する信号増幅部５、再生信号から得られるディジタル情報を処理するディジタル信号処理部６、再生信号からフォーカス・トラッキングサーボ動作に必要なサーボエラー信号を生成するサーボ信号生成部７、サーボ動作・フォーカスサーチ・トラックジャンプ等を行うサーボ制御部８、トラッキングアクチュエータを駆動するトラッキング駆動部９、フォーカスアクチュエータを駆動するフォーカス駆動部１０、スレッドモータを駆動するスレッド駆動部１１、スピンドルモータを駆動するスピンドル駆動部１２、プレーヤとして必要な動作の制御を行うシステム制御部１３、レーザダイオードを制御するレーザ制御部１４を備えている。さらに本実施例では、トラッキング制御電圧にオフセット電圧を加算するオフセット加算部１５を備えている。
【００２０】
図２に示すように、光ピックアップ３は、対物レンズ２１を備える可動ユニット３０と、可動ユニット３０を支持する固定ユニット３１とを備えている。固定ユニット３１は送りネジ３２とスレッドモータ４によって、光ディスクのトラック方向（半径方向であって図示矢印ａ方向）に移動可能となっている。なお固定ユニット３１は、可動ユニット３０との対比により「固定」と称しているが、上述の如く光ピックアップ３全体として移動するものである。
【００２１】
可動ユニット３０はリブ３３と固定ユニット３１とを弾性部材３４によって接続することにより、浮いたような状態で支持されている。これにより可動ユニット３０は、トラック方向（図示矢印ａ方向）およびフォーカス方向（図示矢印ｂ方向）に揺動可能に構成されている。なお弾性部材３４は略針状のバネ部材であって、本実施例で取り扱う範囲においては、たわむ方向（ラジアル方向）には容易に変形するが、縮む方向（スラスト方向）への変形は無視することができる。
【００２２】
そして固定ユニット３１には、断面がほぼコの字状のヨーク３５が、開口端を可動ユニット３０に向けた姿勢で取り付けられている。ヨーク３５の相対する内壁面には、それぞれ磁石３６が取り付けられている。一方、可動ユニット３０には２つのトラッキングコイル３７およびフォーカスコイル３８が備えられている。トラッキングコイル３７と磁石３６はトラッキング駆動手段を構成し、トラッキング駆動部９によってトラッキングコイル３７に電圧を印加することにより、可動ユニット３０はトラッキング方向へ位置制御可能となっている。同様にフォーカスコイル３８と磁石３６はフォーカス駆動手段を構成し、フォーカス駆動部１０によってフォーカスコイル３８に電圧を印加することにより、可動ユニット３０はフォーカス方向へ位置制御可能となっている。
【００２３】
光ディスクの種類を判別する判別手段は、システム制御部１３によるフォーカス駆動部１０を用いた制御によって実現される。当該制御については本件出願人による特開２００２−９２８７２に詳しい。簡略に説明すれば、可動ユニット３０を光ディスク１に向かって近づけながら反射光強度を測定し、記録面の位置を検知することにより、光ディスクの種類を判別する。
【００２４】
ここで光ピックアップ３は、図６に示したのと同様に、ＤＶＤ用とＣＤ用の２つのレーザダイオードを一体的に備えた２波長レーザダイオード２９を備えている。そしてＣＤ用レーザ発光点２９ａ、ＤＶＤ用レーザ発光点２９ｂは、トラッキング方向に配列されている。そして、光ピックアップ３が有するレンズシフト特性は、図８と同様である。レーザ制御部１４は、ＣＤ用レーザ（発光点２９ａ）、ＤＶＤ用レーザ（発光点２９ｂ）の切替手段としても機能し、またそれぞれの発光制御手段としても機能する。
【００２５】
そして本実施例においては、システム制御部１３の判別手段によってＤＶＤかＣＤかを判別すると、その判定結果に応じて、光ピックアップ３に内蔵されたＣＤ用レーザ（発光点２９ａ）、ＤＶＤ用レーザ（発光点２９ｂ）の必要な側が選択され、それぞれの場合に最良のジッタ値となるように、可動ユニット３０を駆動する。
【００２６】
具体的には、まず、本実施例では光ピックアップ３はＤＶＤ側の再生性能を最良にするよう構成しているものとする。すなわち、なんら追加的な制御をしなければ、ＣＤ側においては対物レンズが中央位置（レンズシフト量＝０ｍｍ、通常のトラッキングサーボでの制御目標位置）では最良の性能を得ることはできない。
【００２７】
そして図３に示すように、ディスクの種類を判別する（ステップＳ１）。レーザ制御部１４は、ＣＤであった場合には（ステップＳ２）ＣＤ用レーザ（発光点２９ａ）に切り替え（ステップＳ３）、ＤＶＤであった場合にはＤＶＤ用レーザ（発光点２９ｂ）に切り替える（ステップＳ４）。さらにオフセット加算部１５は、ＣＤであった場合に、トラッキング駆動部９による制御電圧にオフセット電圧を加算する（ステップＳ５）。なお、オフセット電圧は負値である場合もある。
【００２８】
オフセット電圧は、トラッキング駆動部９を通じてトラッキングコイル３７に電圧を印加し、可動ユニット３０を（すなわち対物レンズ２１を）図８のＤに相当する距離だけトラッキング方向に移動させる値である。例えばトラッキング駆動手段（トラッキングコイル３７と磁石３６からなる）の感度Ｓｔ＝０．５ｍｍ／Ｖ、トラッキング駆動部９のゲインＧｔｄ＝２、所定の対物レンズシフト量Ｄ＝０．１ｍｍであるとすれば、オフセット電圧Ｖｏ＝Ｄ／（Ｇｔｄ＊Ｓｔ）よりＶｏ＝０．１Ｖとなる。なおオフセット加算部１５は、ソフトウェア制御によって実現しても良いし、プルアップする電子回路によって実現することでも良い。
【００２９】
このようにオフセット電圧を印加することにより、ＣＤ再生時には対物レンズ２１は通常位置よりＤだけ変化した位置がサーボ制御の目標位置となり、最良の再生信号を得ることができる。
【００３０】
なお、本実施例ではＣＤ側のレンズシフト特性に偏りのあるピックアップについて説明したが、ＤＶＤ側のレンズシフト特性に偏りのあるピックアップの場合には、ＤＶＤディスクを再生するにオフセット電圧を加算することでよい。また、ＤＶＤ側、ＣＤ側共にレンズシフト特性に偏りがあるピックアップの場合には、それぞれのディスクの場合に共に適切なオフセット電圧を加算することができる。
【００３１】
また、上記構成としたことにより、受光素子２８（図６参照）が１つである場合にも、容易に最良の再生信号を得ることができる。しかし受光素子を複数設けていた場合であっても、同様に対物レンズ２１を最適位置に調整することができ、容易に最良の再生信号を得ることができる。
【００３２】
また、上記実施例においては光ディスクの再生機能についてのみ説明したが、本発明は、さらに記録機能を備えた光ディスクプレイヤーであっても同様に適用し、発明の利益を得ることができる。
【００３３】
以上、添付図面を参照しながら本発明の好適な実施例について説明したが、本発明は係る例に限定されないことはいうまでもない。当業者であれば、特許請求の範囲に記載された範疇内において、各種の変更例または修正例に想到しうることは明らかであり、それらについても当然に本発明の技術的範囲に属するものと了解される。
【産業上の利用可能性】
【００３４】
本発明は、２種類以上の光ディスクを再生可能な光ディスクプレイヤーとして利用することができる。
【図面の簡単な説明】
【００３５】
【図１】実施例に係る光ディスプレイヤーの構成例を示す図である。
【図２】光ピックアップを説明する図である。
【図３】オフセット電圧を加算する動作を説明するフローチャートである。
【図４】従来の光ディスクプレーヤの構成図である。
【図５】ＤＶＤ用レーザダイオードとＣＤ用レーザダイオードを個別に持つ光ディスクピックアップの構成図である。
【図６】２波長レーザダイオードを備えた光ピックアップの構成図である。
【図７】図５に示すピックアップのレンズシフト特性を説明する図である。
【図８】図６に示すピックアップのレンズシフト特性を説明する図である。
【符号の説明】
【００３６】
１     …光ディスク
２     …スピンドルモータ
３     …光ピックアップ
４     …スレッドモータ
５     …信号増幅部
６     …ディジタル信号処理部
７     …サーボ信号生成部
８     …サーボ制御部
９     …トラッキング駆動部
１０   …フォーカス駆動部
１１   …スレッド駆動部
１２   …スピンドル駆動部
１３   …システム制御部
１４   …レーザ制御部
１５   …オフセット加算部
２１   …対物レンズ
２２   …ビームスプリッタ
２３   …コリメータレンズ
２４   …波長選択板
２５   …ＤＶＤ用レーザダイオード
２５ｄ  …ＤＶＤ用レーザの光軸
２６   …ＣＤ用レーザダイオード
２６ｃ  …ＣＤ用レーザの光軸
２７   …検出レンズ
２８   …受光素子
２９   …２波長レーザダイオード
２９ａ  …ＣＤ用レーザ発光点
２９ｂ  …ＤＶＤ用レーザ発光点
２９ｃ  …ＣＤ用レーザの光軸
２９ｄ  …ＤＶＤ用レーザの光軸
３０   …可動ユニット
３１   …固定ユニット
３２   …送りネジ
３３   …リブ
３４   …弾性部材
３５   …ヨーク
３６   …磁石
３７   …トラッキングコイル
３８   …フォーカスコイル
Ｄ１   …２波長レーザダイオードＤＶＤ／ＣＤ発光点間隔
Ｄ２   …対物レンズ位置でのＤＶＤ／ＣＤ光軸間隔
Ｌ１   …レーザ発光点／コリメータレンズ間距離
Ｌ２   …コリメータレンズ／対物レンズ間距離
【図１】
2006318544.tif 000003
【図２】
2006318544.tif 000004
【図３】
2006318544.tif 000005
【図４】
2006318544.tif 000006
【図５】
2006318544.tif 000007
【図６】
2006318544.tif 000008
【図７】
2006318544.tif 000009
【図８】
2006318544.tif 000010
【手続補正書】
【提出日】平成17年5月27日(2005.5.27)
【手続補正１】
【補正対象書類名】明細書
【補正対象項目名】０００７
【補正方法】変更
【補正の内容】
【０００７】
図７に対物レンズ２１のトラッキング方向位置（レンズシフト量）と再生信号特性（ジッタ値）の関係（以降、レンズシフト特性と称する）を示す。図に示すように、ＤＶＤ再生時のジッタ値最良点ＡとＣＤ再生時のジッタ値最良点Ｂはほぼ一致している。
【手続補正２】
【補正対象書類名】明細書
【補正対象項目名】００１０
【補正方法】変更
【補正の内容】
【００１０】
図８は、Ｄ２がディスク半径方向の場合のレンズシフト特性を示す図である。図に示すように、ＤＶＤ再生時のジッタ値最良点Ａ’とＣＤ再生時のジッタ値最良点Ｂ’はＤの間隔を持つこととなる。この間隔は同一モデルのピックアップにおいては概ね同じ程度となる。